(57)【要約】      （修正有）【課題】電源基板上の回路部品や電源基板に接続された電気配線が万が一発火したとしても延焼を防止でき、且つ、発火元が内部であるか否かを判定することを可能にした電気製品を提供する。【解決手段】炊飯器の本体内に設けられた電気部品に必要な電圧を供給する回路部品が実装された電源基板５と、電源基板５を収納したエンクロージャー６とを備える。エンクロージャー６は、その外郭体が、金属板と、金属板の内側に無機材料がコーティングされた被膜とからなる板材から構成される。【選択図】図３
2011216631.tif 000002
【特許請求の範囲】
【請求項１】
電気部品に必要な電圧を供給する回路部品が実装された電源基板と、
前記電源基板を収納したエンクロージャーと
を備え、
前記エンクロージャーは、
その外郭体が、金属板と、前記金属板の内側に無機材料がコーティングされた被膜とからなる板材から構成されることを特徴とする電気製品。
【請求項２】
前記無機材料は、ケイ酸化合物、カルシウム化合物、マグネシウム化合物、アルミニウム化合物の何れか又はその混合物であることを特徴とする請求項１に記載の電気製品。
【発明の詳細な説明】
【技術分野】
【０００１】
本発明は、電気配線や電気部品の発火による延焼を防止するよう構成された電気製品に関するものである。
【背景技術】
【０００２】
従来の電気製品は、合成樹脂で構成された外郭体の上半体の内面に防燃材層が設けられ、その上半体に連結された底部プレート上に制御回路基板や温風ファン等の電気機器、電気配線等が設けられている。外郭体内の電気機器や電気配線から万が一発火した場合には、外郭体の上半体に設けられた防燃材層により発火による周囲への延焼が抑制される（例えば、特許文献１参照）。
【先行技術文献】
【特許文献】
【０００３】
【特許文献１】特開２００４−１４７８５８号公報（第３―４頁、図２）
【発明の概要】
【発明が解決しようとする課題】
【０００４】
上記の従来の電気製品では、合成樹脂製の外郭体の上半体の内面に水酸化アルミニウムを含む塗料を塗布して防燃材層を構成しているが、万が一電気機器や電気配線の底面側にトラッキング現象が発生し、電気機器や電気配線が底面方向に向けて発火した場合には、外郭体及び外郭体から周囲の部材への延焼の可能性があった。また、火災が発生して燃焼した場合には、その発火元が外郭体の内部側であるのか、或いは外郭体の外部側であるのかを焼残物等から判定することは難しい、という問題点があった。
【０００５】
本発明は、前記のような課題を解決するためになされたものであり、電源基板上の回路部品や電源基板に接続された電気配線が万が一発火したとしても延焼を防止でき、且つ、発火元が内部であるか否かを判定することを可能にした電気製品を提供することを目的とする。
【課題を解決するための手段】
【０００６】
本発明に係る電気製品は、電気部品に必要な電圧を供給する回路部品が実装された電源基板と、前記電源基板を収納したエンクロージャーとを備え、前記エンクロージャーは、その外郭体が、金属板と、前記金属板の内側に無機材料がコーティングされた被膜とからなる板材から構成される。
【発明の効果】
【０００７】
本発明に係る電気製品によれば、エンクロージャーの外郭体が、金属板と、金属板の内側に無機材料がコーティングされた被膜とからなる板材から構成されているので、万が一電源基板に実装された回路部品が発火したり、充電部に起因するトラッキング現象により電源基板が発火したとしても、エンクロージャーから周囲の部品への延焼を確実に防止でき、安全性を高めることができる。
また、本発明に係る電気製品によれば、外郭体が金属板から構成されているので、火災が発生したとしても残存する。そして、金属板の内側にコーティングされた被膜は、直接火災にさらされた場合と、金属板を介して被熱された場合とでは、被膜の亀裂の形状が異なったものになるので、その形状に基づいて発火元がエンクロージャー内であるか否かを判定することが可能になっている。
【図面の簡単な説明】
【０００８】
【図１】本発明の実施の形態１に係る電気製品の一例である炊飯器の側方の一部を切断して示す側面図である。
【図２】図１のエンクロージャーの外観を示した斜視図である。
【図３】図１のエンクロージャーを拡大して示した縦断面図である。
【図４】図１のエンクロージャーの部分断面図である。
【図５】図１のエンクロージャーの効果を示す図である。
【発明を実施するための形態】
【０００９】
以下、本発明の実施の形態について図面を用いて説明する。
実施の形態１．
図１は、本発明の実施の形態１に係る家電製品の一例である炊飯器の側方の一部を切断して示す側面図である。
図１の炊飯器は、内釜が着脱自在に収納される本体１と、本体１の上部開口を開閉する蓋体２とで構成されている。本体１の蓋体２の開閉側の面（前面上部）には、炊飯に必要な各種のキースイッチ、液晶表示器やＬＥＤ等を有する操作表示部３が設けられている。本体１内には、操作表示部３に対向して設置された操作表示基板４、電源基板５を収納したエンクロージャー６、内釜を誘導加熱する加熱コイル等（図示せず）が設けられている。
【００１０】
電源基板５には、商用電源の交流電圧を直流に変換して平滑する整流回路及び平滑コンデンサ、平滑コンデンサにより平滑された直流電圧を高周波電圧に変換するインバータ回路、商用電源の交流電圧から制御電圧を生成する定電圧回路等を構成する各種の部品が実装されている。
また、エンクロージャー６は、本体１内の底部７に固定されている。
【００１１】
図２は、図１のエンクロージャーの外観を示す斜視図であり、図３は、図１のエンクロージャーを拡大して示す縦断面図である。
エンクロージャー６は、本体１の前面側に位置するカバー６０と、そのカバー６０により前面開口が覆われた箱体６１とで構成され、外形が直方体状に形成されている。箱体６１の奧に位置する後面には、その面と一体に成型された複数のボス６２が取り付けられている。複数のボス６２には、それぞれねじ穴が設けられている。上記の電源基板５は、ボス６２のねじ穴にねじ込まれる止めネジ７０によって箱体６１の後面側に固定されている。
【００１２】
外部から電源基板５への接続や、電源基板５から加熱コイルへの接続、電源基板５と操作表示基板４との接続は、コネクター７１とリード線７２を介して行われる。リード線７２は、図３に示すように、例えばエンクロージャー６のカバー６０から見て箱体６１のカバー６０との接合側の右側面に設けられた引出穴７３を通して外部に引き出される。リード線７２の引出穴７３は、リード線７２を束ねた大きさよりも少し大きい程度の穴である。リード線７２と引出穴７３との隙間をなるべく小さくし、エンクロージャー６内の空間の気密性が保たれるように空気の出入りが遮断されるように密閉する。
【００１３】
図４は、エンクロージャーのカバー６０及び箱体６１の断面図である。
エンクロージャー６は、その外郭体が、上記のようにカバー６０と箱体６１とで構成されている。そして、それらを構成する板材８０は、鋼板８１と、鋼板８１の内側に無機材料がコーティングされて形成された被膜８２とから構成されている。無機部材としては、例えば、ケイ酸化合物、カルシウム化合物、マグネシウム化合物、アルミニウム化合物の何れか又はその混合物が用いられる。その材料の難燃グレードとしては、ＵＬ９４＿Ｖ０以上が望ましい。また、被膜８２の厚みは、厚いほど耐熱の効果が大きいが、費用対効果を勘案すると、それぞれ０．５ｍｍ〜２．０ｍｍが望ましい。
【００１４】
図５（Ａ）（Ｂ）は、上記のように構成されたエンクロージャー６の火災時の被膜（無機材料）の亀裂形状を示した図である。
図５（Ａ）は、エンクロージャー６の内部が火元となり、被膜８２が直接火炎にさらされたとき（内火）の亀裂の形状を示している。
図５（Ｂ）は、エンクロージャー６の外部に火元があり、被膜８２が外部から被熱したときの亀裂の形状を示している。
図５の（Ａ）と（Ｂ）とを対比すれば明瞭なように、内火の場合には亀裂の形状が小さく、外火の場合には亀裂の形状が大きくなる。
火災が発生した場合には、このような亀裂の形状に基づいて、それがエンクロージャー６の内部が火元となっているか、或いはエンクロージャー６の外部が火元となっているかが判定できる。
【００１５】
以上のように本実施の形態１においては、エンクロージャー６内の空間の気密性が保たれており、空気の出入りが遮断されている。そのため、万が一電源基板５に実装された回路部品が発火したり、電源基板５の電源パターンの異極間でトラッキング現象が生じて電源基板５が発火したとしても酸欠状態となり、電源基板５や回路部品の燃焼を抑制できる。
【００１６】
また、エンクロージャー６の外郭体は、鋼板８１から構成されているので、発火がどの方向に発生しても、エンクロージャー６から周囲の部品への延焼を確実に防止でき、安全性を高めることができる。
また、鋼板８１の内側には無機材料がコーティングされて形成された被膜８２を備えており、火災が発生した場合には、被膜８２の亀裂の形状（図５（Ａ）（Ｂ）参照）によりそれが内火か外火かを判定することが可能になっている。
【産業上の利用可能性】
【００１７】
本発明の電気製品の適用例として、炊飯器を例に挙げて説明したが、本発明は、空気清浄機、除湿機、掃除機や空気調和機等の電気製品の電源基板のエンクロージャーにも適用される。
【符号の説明】
【００１８】
１  本体、２  蓋体、３  操作表示部、４  操作表示基板、５  電源基板、６  エンクロージャー、７  底部、６０  カバー、６１  箱体、６２  ボス、７０  止めネジ、７１  コネクター、７２  リード線、７３  引出穴、８０  板材、８１  鋼板、８２  被膜。
【図１】
2011216631.tif 000003
【図２】
2011216631.tif 000004
【図３】
2011216631.tif 000005
【図４】
2011216631.tif 000006
【図５】
2011216631.tif 000007